(57)【特許請求の範囲】
【請求項１】
外箱部と、
前記外箱部に対して閉位置と開位置との間でそれぞれ相対移動可能とされた複数の内箱部と、
前記外箱部に連結された本体部と、前記本体部から延在する複数の開封明示部と、を有する封緘であって、前記内箱部の各々が少なくとも一つの開封明示部に連結され、一つの内箱部が前記閉位置から前記開位置に移動することで前記本体部と一つの開封明示部との間の前記封緘に不可逆的な改変が発生して前記内箱部が開封されたことを示す封緘と、
を備え、
前記各内箱部は前記外箱部に対して回動軸を中心に前記閉位置と前記開位置との間で回動可能にそれぞれ連結されており、
前記複数の開封明示部が、前記各内箱部に対して、前記回動軸の近接部に連結されているパッケージ。
【請求項２】
前記封緘は易壊性封緘であり、一つの内箱部が前記閉位置から前記開位置に移動することにより前記封緘が破断される請求項１に記載のパッケージ。
【請求項３】
各開封明示部は、引裂き線または折り線によって前記本体部と隔てられている請求項１または２に記載のパッケージ。
【請求項４】
内箱部を２個のみ備える請求項１から３のいずれか１項に記載のパッケージ。
【請求項５】
各開封明示部が前記本体部に直交する方向に延在する請求項１から４のいずれか１項に記載のパッケージ。
【請求項６】
前記本体部の少なくとも一部が前記外箱部の側面上に設けられている請求項１から５のいずれか１項に記載のパッケージ。
【請求項７】
前記複数の開封明示部が前記パッケージの端面上に設けられている請求項１から６のいずれか１項に記載のパッケージ。
【請求項８】
閉位置から開位置への各内箱部の移動が、外箱部に対する回動を含む請求項１から７のいずれか１項に記載のパッケージ。
【請求項９】
前記各内箱部は前記外箱部に対して回動軸を中心に前記閉位置と前記開位置との間で回動可能にそれぞれ連結されており、
前記外箱部は、閉位置にある前記内箱部にユーザーがアクセス可能な一つまたは複数の操作窓を備え、
前記操作窓は、前記回動軸から、前記内箱部に連結されている前記開封明示部よりも遠くに位置している請求項１から８のいずれか１項に記載のパッケージ。
【請求項１０】
前記パッケージがタバコ製品の保管用である請求項１から９のいずれか１項に記載のパッケージ。
【請求項１１】
前記封緘が納税印紙である請求項１から１０のいずれか１項に記載のパッケージ。
【請求項１２】
請求項１から１１のいずれか１項に記載のパッケージの内箱部を形成するためのブランク。
【請求項１３】
請求項１から１１のいずれか１項に記載のパッケージの外箱部を形成するためのブランク。
【請求項１４】
１枚のブランクを折り曲げて外箱部を形成する工程と；
複数枚のブランクを折り曲げて複数の内箱部を形成する工程と；
複数の前記内箱部が前記外箱部の内側に配されかつ前記各内箱部が前記外箱部に対して閉位置と開位置との間で回動軸を中心に回動可能となる様に、前記内箱部を前記外箱部に連結する工程と；
前記外箱部に連結された本体部と、前記本体部から延在する複数の開封明示部と、を備える封緘を貼付する工程であって、前記内箱部の各々が少なくとも一つの開封明示部に前記回動軸の近接部において連結され、内箱部が前記閉位置から前記開位置に移動することにより前記本体部と開封明示部との間の前記封緘が不可逆的に改変して前記内箱部が開封されたことを示す封緘を設ける工程と；
を備えるパッケージの製造方法。
【発明の詳細な説明】
【技術分野】
【０００１】
本発明はパッケージ用封緘に関する。本発明は特に、シガレット等のタバコ製品のパッケージ上で納税印紙または収入印紙としての役目を果たす易壊性封緘の提供に関するが、これに限定されるものではない。
【背景技術】
【０００２】
租税または関税の課税対象である製品のパッケージを、開封明示機能の付いた納税シールまたは収入印紙シールを用いて封緘することが、多くの国で要望されている。この封緘の目的は、かかる製品を収容した個々のパッケージについて適正に納税が為されたことを保証することである。この様な慣習の代表例がシガレットのパッケージである。
【０００３】
典型的なシガレットパッケージは、シガレットを収容する本体に連結されたヒンジ蓋を備える。シガレットを取り出す際は、ユーザーがこのヒンジ蓋を開ける。そこで、パッケージ本体とヒンジ蓋との接合部に掛け渡すように、納税印紙や収入印紙シールが貼付され、蓋を開けると該シールが破断される仕組みとなっている。
【０００４】
この手法は従来型のパッケージには適していたが、より進化した形のパッケージに適用することは必ずしも容易ではない。特に、シガレットを複数の区画に分けて収容するパッケージならではの問題が生じている。この場合、ユーザーがいずれの一つの区画を開封しようとした時にも封緘が破断されることが必須である。したがって、パッケージの各部に対して封緘を一つだけ用いれば事が足りる様な特段の工夫が、従来より望まれている。
【０００５】
この問題を適切に解決する上で障害となるのは、恐らくパッケージ側の制約である。この制約には、デザイン上の制約の他、例えば健康被害警告等の情報をパッケージ上の然るべき場所に表示しなければならないという法律上の制約も含まれる。
【０００６】
また、封緘の設計やパッケージ上への貼付が煩雑になるとパッケージの全体コストを押し上げる原因となるので、これらを避けながら封緘を実現することも望まれている。
【０００７】
このように、従来のヒンジ蓋パッケージに比べてより複雑な構造のシガレットパッケージにも使用できる開封明示シールが望まれている。これと同時に、コスト、貼付位置、封緘の性質に関する諸々の制約には従うことが求められている。
【発明の概要】
【０００８】
本発明の第一の態様によれば、外箱部と、前記外箱部に対して閉位置と開位置との間でそれぞれ相対移動可能とされた複数の内箱部と、前記外箱部に連結された本体部と、前記本体部から延在する複数の開封明示部と、を有する封緘であって、前記内箱部の各々が少なくとも一つの開封明示部に連結され、一つの内箱部が前記閉位置から前記開位置に移動することで前記本体部と一つの開封明示部との間の前記封緘に不可逆的な改変が発生して前記内箱部が開封されたことを示す封緘と、を備えるパッケージが提供される。
【０００９】
本発明によれば、複数の内箱部のいずれかが外箱部に対して相対移動した場合に、物理的または光学的な不可逆変化（例えば、破断、変形、変色、白濁または何らかの光学的性質の変化）を生ずるような封緘が提供される。複数の内箱部の各々が封緘の一つの開封明示部、すなわち可分離部に連結されており、一方、これに隣接する該封緘の本体部は外箱部に連結されている。その結果、内箱部が外箱部に対して相対的に移動すると、開封明示部が本体部に対して相対的に移動し、封緘を不可逆的に変化させる。
【００１０】
一態様において、本発明のパッケージ用封緘は易壊性封緘であり、一つの内箱部が前記閉位置から前記開位置に移動することにより前記封緘が破断される。
【００１１】
好ましい態様において、各開封明示部は引裂き線によって本体部と隔てられている。引裂き線は、上記封緘のベース材料よりも強度が弱められた、当該封緘の直線部分である。引裂き線は、例えば封緘に直線的に設けられたミシン目である。この引裂き線は、内箱部を閉位置から開位置へ移動させた時に封緘を一層たやすく破断することが可能な、封緘を弱体化した脆弱部分である。これに加え、或いは代替的に、各開封明示部は折り線によって本体部と隔てられていてもよい。折り線は、上記封緘のうち予め折り曲げられている直線部分である。これによっても、封緘の破断が容易となる。好ましい態様において、上記の折り線と引裂き線とを同じ場所に設けてもよい。これにより、内箱部を開封する際に容易に破断する１本の線が実現する。
【００１２】
上記封緘の本体部および開封明示部と、上記内箱部および外箱部との連結は、直接的であっても（すなわち、これらの部材が直接接触する）、間接的であってもよい。
【００１３】
好ましい一態様において、上記パッケージは内箱部を２個のみ備えている。２個の内箱部を備える構成は、人間工学的な観点から使いやすい構成と言える。複数の内箱部を備えることにより、未開封の内箱部に収容された製品の鮮度を保つことができ、一方で内箱部の個数を抑えることで無用な複雑化を避けることができる。
【００１４】
各開封明示部は前記本体部の隣接領域に直交する方向に延在することが好ましい。これにより、上記本体部および開封明示部が上記内箱部および外箱部に連結している力に抗して作用する破断力成分が減じられ、封緘の破断過程を容易化することができる。したがって、開封明示部と本体部との連結がより強固となり、封緘の信頼性を高めることができる。
【００１５】
特に好ましい態様において、前記本体部の少なくとも一部が前記外箱部の側面上に設けられており、好ましくは主たる側面上、例えば前面または背面に設けられている。さらに、上記複数の開封明示部は、上記パッケージの端面上、例えば上面または底面に設けられていることが好ましい。特に好ましい一態様において、上記本体部の少なくとも一部が上記パッケージの前面に設けられるか、上記複数の開封明示部が底面上に設けられるか、またはその両方である。
【００１６】
閉位置から開位置への各内箱部の移動は、外箱部に対する回動を含むことが好ましい。内箱部の移動は直線運動を更に含んでもよいが、回動運動のみで構成されることが最も好ましい。或る軸を中心とする上記内箱部の回動運動は肯定的なユーザーエクスペリエンスを与え、且つ、内箱部が仮に並進運動した場合に働く様な剪断力ではなく、封緘を破断するために必要な応力を印加することで封緘を破断することを容易にする。
【００１７】
好ましい各態様において、前記複数の開封明示部は、前記各内箱部に対して、閉位置から開位置へ前記各内箱部が回動する軸の近接部に連結されている。これら開封明示部を各内箱部の回動軸に隣接して、またはその近傍に配することにより、てこの原理を利用して、該内箱部が開くにつれて封緘に働く破断力を増大させることができる。つまり、回動軸から離れた地点に比較的弱い力を加えて内箱部を比較的長い距離に亘って移動させることで、近い距離にある封緘にはより大きな力が加わる。
【００１８】
かかる効果を有効利用するために、好ましい各態様において、前記外箱部は、閉位置にある前記内箱部にユーザーがアクセス可能な一つまたは複数の開口部を備え、前記開口部は、前記内箱部が回動する回動軸から、前記内箱部に連結されている前記開封明示部よりも遠くに位置している。
【００１９】
上記パッケージは好ましくはタバコ製品用のパッケージであり、より好ましくはシガレット用のパッケージである。上記易壊性封緘は、好ましくは納税印紙である。
【００２０】
本発明の第二の態様によれば、上記第一の態様にかかる内箱部を形成するためのブランクが提供される。また、本発明の第三の態様によれば、上記第一の態様にかかる外箱部を形成するためのブランクが提供される。
【００２１】
本発明の第四の態様によれば、１枚のブランクを折り曲げて外箱部を形成する工程と；複数枚のブランクを折り曲げて複数の内箱部を形成する工程と；複数の前記内箱部が前記外箱部の内側に配されかつ前記内箱部が前記外箱部に対して閉位置と開位置との間で相対移動可能となる様に、前記内箱部を前記外箱部に連結する工程と；前記外箱部に連結された本体部と、前記本体部から延在する複数の開封明示部と、を備える易壊性封緘を貼付する工程であって、内箱部が前記閉位置から前記開位置に移動することにより前記封緘が破断するように前記内箱部の各々を少なくとも一つの開封明示部に連結する工程と；を備えるパッケージの製造方法が提供される。
【図面の簡単な説明】
【００２２】
【図１Ａ】図１Ａは、好ましい一態様にかかるパッケージを示す図であり、両内箱部が一つの外箱部内で閉位置にある状態を示す。
【図１Ｂ】図１Ｂは、上記好ましい態様において、両内箱部が開位置にある状態を示す。
【図２Ａ】図２Ａは、上記好ましい態様にかかる外箱部を形成し得る元となるブランクを示す。
【図２Ｂ】図２Ｂは、上記好ましい態様にかかる各内箱部を形成し得る元となるブランクを示す。
【図３Ａ】図３Ａは、上記好ましい態様にかかるパッケージにおいて両内箱部が閉位置にある時の、該パッケージ上の易壊性封緘の位置を示す。
【図３Ｂ】図３Ｂは、上記好ましい態様にかかるパッケージにおいて片方の内箱部が開位置にある時の、該パッケージ上の易壊性封緘の位置を示す。
【発明を実施するための形態】
【００２３】
本発明の好ましい一態様にかかるパッケージ１を図１Ａおよび１Ｂに示す。このパッケージ１は、１個の外箱部１００と２個の内箱部１５０とから構成される。各内箱部１５０はそれぞれ独立に閉位置と開位置との間で、外箱部１００に対して移動可能である。
【００２４】
上記好ましい態様にかかるパッケージ１は、タバコ製品の保管に用いられる。特に、このパッケージ１はシガレット用パッケージであることが好ましい。図１Ａおよび１Ｂには図示されていないが、シガレットはパッケージ内に立てて収容されており、一つの内箱部１５０が開位置にある時にユーザーがそれらを取り出すことができる。
【００２５】
図１Ａは両内箱部１５０が閉位置にある状態を示し、図１Ｂは両内箱部１５０が開位置にある状態を示す。各内箱部１５０は開口部１６０を一つ備え、ユーザーは該開口部１６０を通じてパッケージの中身、その好例としてはシガレットを取り出すことができる。図１Ａに示す閉位置では、開口部１６０が外箱部１００に隠れた状態となっている。したがって、両内箱部１５０が閉位置にある時は、ユーザーは中身を取り出すことはできない。これに対し、両内箱部１５０が開位置へ回動された時は、図１Ｂに示すように、ユーザーが開口部１６０にアクセスできる状態となり、中身を取り出すことができる。なお、図１Ｂでは両方の内箱部１５０が開位置へ回動されているが、これらは個々に独立に操作できる。したがって、これら内箱部１５０は或る時点において異なる位置にあってよい。
【００２６】
上記パッケージは更に、易壊性封緘１８０を備える。図１Ａおよび１Ｂでは、易壊性封緘１８０の本体部１８２が外箱部１００の前面に直接連結されている様子が視認される。
【００２７】
易壊性封緘１８０を更に理解するために、ここで図３Ａおよび３Ｂを参照する。図３Ａでは、両内箱部１５０が閉位置にあり、一方の図３Ｂではこれら内箱部１５０のうち第１の箱が開位置にある。図３Ａおよび３Ｂから解る様に、上記易壊性封緘は更に、内箱部１５０のうち第１の箱に連結された第１の開封明示部１８４と、内箱部１５０のうち第２の箱に連結された第２の開封明示部１８６と、を備えている。図３Ａおよび３Ｂは更に、上記内箱部の本体部１８２がパッケージ１の前面から該パッケージ１の底面に亘って延在している様子を示している。
【００２８】
したがって、本体部１８２の一部領域（パッケージ１の前面上の領域）は、これら開封明示部１８４，１８６（パッケージ１の底面に設けられている）に直交して設けられている。本体部１８２の上記領域とこれら開封明示部１８４，１８６との各接合部は各引裂き線１８８により規定されている。これら引裂き線１８８は封緘１８０の強度を減じた部分である。特に、上記封緘の強度は、各引き裂き線１８８に沿って直線状のミシン目を入れることで減じられている。
【００２９】
これら引裂き線１８８は、パッケージ１の前面と底面との接合部に位置していることから、折り線でもある。つまり、これら引裂き線１８８は、パッケージ１が形成される際にすでに折り曲げられていることになる。したがって、これら引裂き線１８８の強度はさらに減じられ、ユーザーによる内箱部１５０の最初の開封時に、各内箱部１５０が閉位置から開位置へ回動するにつれて封緘１８０が破断されることが促進される。
【００３０】
以下に更に詳しく説明するように、各内箱部１５０は閉位置から開位置へと回動する。したがって、これら内箱部１５０は回動軸を中心に移動する。各開封明示部１８４，１８６は各回動軸から延在し、これらに隣接する位置にある。したがって、回動軸からの距離が開封明示部１８４，１８６よりも遠い地点に力を加えると、本体部１８２から該開封明示部１８４，１８６を切り離す力を、てこの原理により増強することができる。
【００３１】
この効果を利用するために、複数の操作窓１２０を外箱部１００に設けることができる。これにより、ユーザーは閉位置にある各内箱部１５０に触れることができる。これら操作窓１２０は、外箱部１００の前面および背面の切落とし部の形状を呈し、ユーザーが内箱部１５０をつまんでこれを閉位置から開位置へ回動できる様に構成されている。これら操作窓１２０は、各内箱部１５０の回動軸からの距離が開封明示部１８４，１８６よりも遠い地点に位置している。このため、ユーザーが操作窓１２０を通じて内箱部１５０をつまむと、パッケージ１の前面に連結された本体部１８２の上記領域から内箱部１５０に連結された各開封明示部１８４，１８６を分断するのに必要な力を、てこの原理により増強することができる。
【００３２】
或いは、上記操作窓に代えて、閉位置において外箱部１００の上面から突出するような小型のタブを、各内箱部１５０の側壁の上端からそれぞれ延出させてもよい。
各内箱部１５０は更に、外箱部１００の上面に固定された連結要素１７０を備える。したがって、外箱部１００の上面は連結要素１７０の接続面となる。この連結要素１７０は、各内箱部１５０が開位置を超えて移動することを阻止するものである。各内箱部１５０はその基部においても外箱部１００に連結されており、特に、該外箱部１００のヒンジ片上に装着されている。このヒンジ片は、パッケージ１の側面から内側に後退した位置を中心にして回動するように配設されている。このため、各内箱部１５０は開位置に向かって外方向に回動し、これら各内箱部１５０の外側面と底隅部とは外箱部１００に対して下方向に移動し、該外箱部１００の底面の水準よりも低くなる。かかる構成により、パッケージ１の全体寸法、特に高さを、クラッシュプルーフ箱（圧壊に強い箱）として知られる従来のシガレットパックと同等に収めることができる。
【００３３】
連結要素１７０は可撓性を有する。したがって、その形状は、内箱部１５０が開位置と閉位置との間の移動中に変化し得る。この結果、本実施態様では内箱部１５０が閉位置にある時に連結要素１７０が該内箱部１５０を取り巻くように折り畳まれ、外箱部１００の内部に余分な空間を設ける必要がない。
【００３４】
上記内箱部および外箱部の構成をさらに理解するために、ここで図２Ａおよび２Ｂを参照する。これらは外箱部１００および内箱部１５０を製作するためのブランクをそれぞれ示す。
【００３５】
図２Ａに示すように、外箱部１００は前面１０１と背面１０２とを備えている。上面１０３は前面１０１と背面１０２との間に設けられている。また底面１０４は、前面１０１と一体的に形成された第１の底面部１０４ａと、背面１０２と一体的に形成された第２の底面部１０４ｂと、を備えている。この第２の底面部１０４ｂに接続するように、複数のヒンジ片１０５が設けられている。外箱部１００は更に、前面１０１と背面１０２の各側辺から延在する複数の補強タブ１０６を備える。
【００３６】
成形時には、前面１０１と背面１０２とが対面する様に外箱部１００を折り曲げる。前面１０１と背面１０２との間に、上面１０３がこれらと垂直に延在する。また、前面１０１と背面１０２との間には、底面１０４もこれらと垂直に延在し、該底面１０４はその第１の底面部１０４ａを第２の底面部１０４ｂの下面に糊付けして形成されている。各ヒンジ片１０５は固定されず、よって底面１０４に対して回動自在とされている。底面１０４は外箱部１００の幅全体に亘っては延在していない。この結果、各ヒンジ片１０５は、各開口部から外箱部１００の側部の内側に後退した軸を中心にして回動する。好ましい態様では、各軸は外箱部１００の幅の約４分の１（つまり、各内箱部１５０の幅の半分）だけ後退している。各内箱部１５０は各ヒンジ片１０５に糊付けされている。各補強タブ１０６は内側へ折り畳まれ、前面１０１および背面１０２の内面に糊付けされている。
【００３７】
図２Ｂは、各内箱部１５０を形成するためのブランクを示す図である。各内箱部は前面１５１と背面１５２とを備えている。この前面１５１と背面１５２との間には、更に外側面１５３が設けられている。一方、内側面１５４は第１内側面部１５４ａと第２内側面部１５４ｂから構成される。内箱部１５０の底面は、複数の底面タブ１５５から形成される。
【００３８】
連結要素１７０は第２内側面部１５４ｂから延在する。連結要素１７０は、実質的に平坦な３つの連結節を備えている。以下、これらの連結節を第１の連結節１７２、第２の連結節１７４、および第３の連結節１７６と称する。各連結節１７２，１７４，１７６の間の折り線により、内箱部１５０が閉位置と開位置との間で回動するにつれて各節が相対的に回動できる。この様にして、連結要素１７０は可撓的に構成され、特に好ましい態様では、これら連結節そのものは実質的に剛直であるものの、各連結節１７２，１７４，１７６の間で精密な関節構造が形成されている。第３の連結節１７６の端部には、装着タブ１５６が形成されている。連結要素１７０の関節構造は、該連結要素１７０に可撓性を与えるのみならず、外箱部１００に対する内箱部１５０の相対的な開閉動作の経路を案内する役目を果たす。この際、パッケージ１の全体寸法（特に、高さと幅）が通常のクラッシュプルーフ型のシガレットパックに比べて増大することはない。
【００３９】
各内箱部１５０を成形するには、前面１５１と背面１５２とが対面する様に上記各ブランクを折り曲げる。外側面１５３は前面１５１と背面１５２との間に延在する。一方、内側面１５４も前面１５１と背面１５２との間に延在し、第１内側面部１５４ａと第２内側面部１５４ｂとを糊付けすることにより形成されている。底面は複数の底面タブ１５５を互いに糊付けすることにより形成されている。この底面そのものは、外箱部１００のヒンジ片１０５に糊付けされている。
【００４０】
連結要素１７０は内側面１５４の上辺から延在する。第１の連結節１７２の長さを、内側面１５４の上辺と前面および背面１５１，１５２の上辺との間の距離に略等しく設定することにより、連結要素１７０は前面および背面１５１，１５２の上辺より下がった位置から延在している。
【００４１】
装着タブ１５６は，外箱部１００の上面１０３の天上面に糊付けされており、特に、該上面１０３の外端部に向かって接続されている。したがって、図１Ａに示す様に内箱部１５０が閉位置にある時、連結要素１７０は、天上面との接続部位から装着タブ１５６を介して内側方向へ向かい、該内箱部１５０の上端部を横断する様に延在する。
【００４２】
製造過程では、各内箱部１５０を外箱部１００の内部へ配置し、閉位置に収める。その後、図３Ａに示す様に、上記易壊性封緘をパッケージ１に貼付する。
【００４３】
ユーザーは、内箱部１５０に触れられる様に設けられた各操作窓１２０を通じて該内箱部１５０をつまむことでパッケージを操作することができる。ユーザーは続いて内箱部１５０を開位置へと移動させる。図３Ｂは一例として、第１の内箱部１５０が開位置へと移動された状態を示す。図３Ｂから解る様に、この移動により易壊性封緘１８０が引裂き線１８８に沿って破断される。これが、パッケージ１が開封済みであることの明白な証拠となる。この様に、封緘１８０は、同じパッケージが何度も再充填されたり転売されたりすることを防ぐ開封明示シールとして機能する。したがって、封緘１８０を、パッケージ１内の製品に対して適正な税が納付されたことを示す納税印紙または収入印紙として用いることができる。
【００４４】
以上、特に好ましい態様について説明したが、適宜変更や変形を加えることができることは当業者にとって明らかである。例えば、上述の態様では内箱部１５０を２個としたが、他の態様ではそれ以外の個数の内箱部を用いることもできる。
【００４５】
同様に、上述の態様ではパッケージがタバコ製品用、特にシガレット用であったが、他の製品を内箱部に納めて供してもよい。更に、当業者であれば上記パッケージの構成要件の形状や配置を変形または変更することが可能である。
【００４６】
その他の変更や変形も当業者にとって明白である。かかる変更や変形には、同等またはその他の公知の要件が、ここに述べた要件に代わる形で、またはこれに加える形で含まれてもよい。別々の態様で述べた複数の要件を組み合わせて一つの態様として提供してもよい。逆に、一つの態様で述べた複数の要件を別々に提供したり、一部を適宜組み合わせて提供したりしてもよい。
【図１Ａ】
0006411339.tif 000002
【図１Ｂ】
0006411339.tif 000003
【図２Ａ】
0006411339.tif 000004
【図２Ｂ】
0006411339.tif 000005
【図３Ａ】
0006411339.tif 000006
【図３Ｂ】
0006411339.tif 000007